(57)【要約】  本発明は、ディスペンサーポンプボタンに関し、本発明によるディスペンサーポンプボタンは、通常はノズルがボタン胴体の内部に位置し、ボタン胴体を加圧した時にノズルが前進してボタン胴体の外部に露出して内容物が排出されるように構造を設計することで、キャップが汚染することを防止することができることが特徴である。【選択図】なし
2014524870.tif 000002
【特許請求の範囲】
【請求項１】
ポンピング部材の上部に位置し、ユーザの押し動作でポンピング部材を加圧して、ポンピング作用を通じて内容物が排出可能に構成されるディスペンサーポンプボタンにおいて、
内側中央部には、内容物が移動する内容物の移動通路が形成され、前記内容物の移動通路と連通し内容物が排出される排出部が形成されるボタン胴体と、
前記排出部に結合されて内容物を外部に排出し、ボタン胴体の上下移動に従って前後移動するように構成され、前面部には内容物が排出可能に排出孔が形成され、側面部には前後移動をガイドするガイド溝が形成されるノズルと、
前記ボタン胴体の内側に結合され、前記ノズルのガイド溝に結合されるガイド突起が具備され、前記ボタン胴体の上下移動に従って前記ノズルを前後移動させるガイド部材と、
一側は前記ガイド部材に支持され、他側は前記ボタン胴体の内側に支持され、上方向に弾性力を提供してボタン胴体を上方向に移動させる弾性体と、
を含むことを特徴とするディスペンサーポンプボタン。
【請求項２】
前記ボタン胴体には、前記ノズルの排出孔を開閉する開閉棒が具備され、前記開閉棒は、排出部の下端壁面から上部に延長し、かつ前方に垂直折り曲げられることを特徴とする請求項１に記載のディスペンサーポンプボタン。
【請求項３】
前記ノズルは、前記排出部に結合する時に、前記開閉棒によって干渉されることを防止するように、下端部末端から一部が切開形成されることを特徴とする請求項２に記載のディスペンサーポンプボタン。
【請求項４】
前記ガイド部材は、前記内容物の移動通路に結合され、ノズルに残留する内容物を吸入するピストン機能を提供する吸入部と、前記吸入部の下方向に延長する円筒状で、前記ポンピング部材の上部に結合される結合部と、前記吸入部を囲みつつ吸入部から延長形成され、前記弾性体の下端が安着される安着部を形成するバネ支持部とを含むことを特徴とする請求項１に記載のディスペンサーポンプボタン。
【請求項５】
前記ガイド突起は、前記吸入部の中央部から上方向に突出する一対の突出片と、前記一対の突出片末端で一対の突出片を連結し、前記ガイド溝に結合されるガイドバーとで構成されることを特徴とする請求項４に記載のディスペンサーポンプボタン。
【請求項６】
前記ガイド突起の下端部には、前記結合部を通じて移動する内容物が流入されるように内容物流入孔が形成されることを特徴とする請求項４に記載のディスペンサーポンプボタン。
【請求項７】
前記ボタン胴体には、前記内容物の移動通路の外側で内容物の移動通路を囲みつつ下方向に延長する延長部が形成され、前記延長部には、前記ガイド部材をボタン胴体に固定させるように中空が形成された固定体が結合されることを特徴とする請求項１に記載のディスペンサーポンプボタン。
【発明の詳細な説明】
【技術分野】
【０００１】
本発明は、ディスペンサーポンプボタンに関し、さらに詳しくは、通常はノズルがボタン胴体の内部に位置し、ボタン胴体を加圧した時にノズルが前進してボタン胴体の外部に露出して内容物が排出されるように構造を設計することで、キャップが汚染することを防止することができるディスペンサーポンプボタンに関する。
【背景技術】
【０００２】
一般的にディスペンサー（Ｄｉｓｐｅｎｓｅｒ）とは、気体や液体、またはその他の内容物を充填した密閉容器の上側に結合され、加圧によりその内部の内容物を一定量ずつ噴出させて使用するようにする装置であって、化粧品や香水、または医薬品や食品などを格納する各種の密閉容器に適用されている。前記のようなディスペンサーの上部には、ユーザが手押しで前記ディスペンサーを加圧するためのボタンが形成され、ボタンの操作によってノズルを通じて内容物の排出が行われる。
【０００３】
前記のようなディスペンサー用ボタンには、内容物を外部に排出させるためのノズルが具備されるが、ノズルがボタンの外部に突出して常に露出されている構造であるため、化粧品を使用する時にノズルに残っている化粧品の残余物によって化粧品容器のキャップ内部を汚染するという問題点があった。化粧品のキャップは、化粧品のボタン押し防止と汚染防止という目的があるが、このように汚れたキャップは、むしろ化粧品の汚染を加重させることになり、外観も良くない。
【０００４】
前記のようにノズルが外部に露出されることで発生するキャップの汚染を防止するために、ノズルがボタンの内部に位置した状態で内容物の排出が行われる構造が提案された。しかし、ノズルがボタンの内部に位置して内容物を排出する場合、キャップが汚染することは防止することができるが、ユーザ所望の位置に内容物が正確に排出されることが容易でなく、内容物が排出されながらボタンまたは飾りの部分についてしまい、また他の汚染を引き起こすという問題点があった。
【発明の概要】
【発明が解決しようとする課題】
【０００５】
本発明は、上述した問題点を解決するために案出されたもので、本発明の目的は、通常はノズルがボタン胴体の内部に位置し、ボタン胴体を加圧する時にノズルが前進してボタン胴体の外部に露出して内容物が排出されるように構造を設計することで、キャップが汚染することを防止することができるディスペンサーポンプボタンを提供することにある。
【０００６】
また、排出部に具備された開閉棒を通じてノズルの排出孔を閉鎖することで、通常は化粧品容器の内部に空気が流入されることを遮断して、内容物が変質することを防止することができるディスペンサーポンプボタンを提供することにある。
【０００７】
また、ボタン胴体が上方向に移動する時に、ガイド部材がピストン機能を提供して、ノズルに残留する内容物を吸入することで、ノズルに残留する内容物の残留量を最小化させることができるので、内容物の汚染を防止することは勿論、ノズル内に内容物の固着現象によるノズルの誤作動を防止することができるディスペンサーポンプボタンを提供することにある。
【課題を解決するための手段】
【０００８】
前記のような問題点を解決するために、本発明によるディスペンサーポンプボタンは、ポンピング部材の上部に位置し、ユーザの押し動作でポンピング部材を加圧して、ポンピング作用を通じて内容物が排出可能に構成されるディスペンサーポンプボタンにおいて、内側中央部には、内容物が移動する内容物の移動通路が形成され、前記内容物の移動通路と連通し内容物が排出される排出部が形成されるボタン胴体と、前記排出部に結合されて内容物を外部に排出し、ボタン胴体の上下移動に従って前後移動するように構成され、前面部には内容物が排出可能に排出孔が形成され、側面部には前後移動をガイドするガイド溝が形成されるノズルと、前記ボタン胴体の内側に結合され、前記ノズルのガイド溝に結合されるガイド突起が具備され、前記ボタン胴体の上下移動に従って前記ノズルを前後移動させるガイド部材と、一側は前記ガイド部材に支持され、他側は前記ボタン胴体の内側に支持され、上方向に弾性力を提供してボタン胴体を上方向に移動させる弾性体とを含むことを特徴とする。
【０００９】
また、前記ボタン胴体には、前記ノズルの排出孔を開閉する開閉棒が具備され、前記開閉棒は、排出部の下端壁面から上部に延長し、かつ前方に垂直折り曲げられることを特徴とする。
【００１０】
また、前記ノズルは、前記排出部に結合する時に、前記開閉棒によって干渉が起きることを防止するように、下端部末端から一部が切開形成されることを特徴とする。
【００１１】
また、前記ガイド部材は、前記内容物の移動通路に結合され、ノズルに残留する内容物を吸入するピストン機能を提供する吸入部と、前記吸入部の下方向に延長する円筒状でなり、かつ前記ポンピング部材の上部に結合される結合部と、前記吸入部を囲みつつ吸入部から延長形成され、前記弾性体の下端が安着される安着部を形成するバネ支持部とを含むことを特徴とする。
【００１２】
また、前記ガイド突起は、前記吸入部の中央部から上方向に突出する一対の突出片と、前記一対の突出片末端で一対の突出片を連結し、前記ガイド溝に結合されるガイドバーとで構成されることを特徴とする。
【００１３】
また、前記ガイド突起の下端部には、前記結合部を通じて移動する内容物が流入されるように内容物流入孔が形成されることを特徴とする。
【００１４】
また、前記ボタン胴体には、前記内容物の移動通路の外側で内容物の移動通路を囲みつつ下方向に延長する延長部が形成され、前記延長部には、前記ガイド部材をボタン胴体に固定させるように中空が形成された固定体が結合されることを特徴とする。
【発明の効果】
【００１５】
上述したように、本発明によると、通常はノズルがボタン胴体の内部に位置し、ボタン胴体を加圧する時にノズルが前進してボタン胴体の外部に露出して内容物が排出されるように構造を設計することで、キャップが汚染することを防止することができるという長所がある。
【００１６】
また、排出部に具備された開閉棒を通じてノズルの排出孔を閉鎖することで、通常は化粧品容器の内部に空気が流入されることを遮断して、内容物が変質することを防止することができるという長所がある。
【００１７】
また、ボタン胴体が上方向に移動する時に、ガイド部材がピストン機能を提供して、ノズルに残留する内容物を吸入することで、ノズルに残留する内容物の残留量を最小化させることができるので、内容物の汚染を防止することは勿論、ノズル内に内容物の固着現象によるノズルの誤作動を防止することができるという長所がある。
【図面の簡単な説明】
【００１８】
【図１】本発明の好ましい実施例によるディスペンサーポンプボタンの構成を示した分解斜視図である。
【図２】本発明の好ましい実施例によるディスペンサーポンプボタンの構成を示した断面図である。
【図３】本発明の好ましい実施例によるディスペンサーポンプボタンのノズルとガイド部材との結合状態を示した斜視図である。
【図４】本発明の好ましい実施例によるディスペンサーポンプボタンが容器本体に結合された状態を示した断面図である。
【図５】本発明の好ましい実施例によるディスペンサーポンプボタンの作動状態を示した状態図である。
【図６】本発明の好ましい実施例によるディスペンサーポンプボタンの作動状態を示した状態図である。
【発明を実施するための形態】
【００１９】
以下、図面を参照して本発明を詳しく説明する。各図面に提示された同一の参照符号は、同一の部材を示す。
【００２０】
図１は、本発明の好ましい実施例によるディスペンサーポンプボタンの構成を示した分解斜視図であり、図２は、本発明の好ましい実施例によるディスペンサーポンプボタンの構成を示した断面図であり、図３は、本発明の好ましい実施例によるディスペンサーポンプボタンのノズルとガイド部材との結合状態を示した斜視図である。
【００２１】
図４は、本発明の好ましい実施例によるディスペンサーポンプボタンが容器本体に結合された状態を示した断面図であり、図５及び図６は、本発明の好ましい実施例によるディスペンサーポンプボタンの作動状態を示した状態図である。
【００２２】
本発明は、ディスペンサー容器の上部に位置し、ユーザの加圧によって上下移動されてポンピング部材３０を加圧するディスペンサーポンプボタンに関し、一般的なディスペンサー容器の構成は、内容物が収容され、内側下端には内容物の使用によって上昇するピストン１１が具備される容器本体１０と、前記容器本体１０の上部に結合され、ポンピング部材３０を支持する支持体２０と、前記支持体２０の上部に結合され、ボタン部材の加圧によってポンピング作用をするポンピング部材３０と、前記ポンピング部材を囲み、容器本体１０の上部に結合されるオーバーキャップ４０とで構成される。
【００２３】
前記容器本体１０、支持体２０、ポンピング部材３０、オーバーキャップ４０は、本発明が属する技術分野で公知技術であるので、詳しい説明は省略し、以下では、図１乃至図６を参照して、本発明のディスペンサーポンプボタンの構造を詳しく説明する。
【００２４】
図１乃至図６を参照すると、本発明の好ましい実施例によるディスペンサーポンプボタンは、ボタン胴体１００、ノズル２００、ガイド部材３００、弾性体４００が含まれる。
【００２５】
前記ボタン胴体１００は、容器本体１０に結合されるポンピング部材３０の上部に位置し、ユーザの押し動作でポンピング部材３０を加圧してポンピング作用を通じて内容物の排出を可能にするものであり、容器本体１０の上部には、前記ポンピング部材３０を支持する支持体２０が結合され、容器本体１０の内側下端には、内容物の使用によって上昇するピストン１１が具備される。
【００２６】
内側中央部には、内容物が移動する内容物の移動通路１１０が形成され、内容物の移動通路１１０の末端部には、前記内容物の移動通路１１０と連通し、内容物が排出される排出部１２０が形成される。
【００２７】
本発明において、前記ボタン胴体１００には、後述するノズル２００の排出孔２１０を開閉する開閉棒１２１が具備されることが特徴であり、前記開閉棒１２１は、排出部１２０の下端壁面から上部に延長し、かつ前方に垂直折り曲げられるように構成され、ノズル２００前後移動に従って排出孔２１０を開閉するが、これにより、化粧品容器を使用しない通常にノズル２００の排出孔２１０を閉鎖して、ボタン胴体１００の内部に空気が流入されることを遮断することで、内容物が変質することを防止することができる。
【００２８】
また、前記開閉棒１２１は、ボタン胴体１００に一体で形成されることで、開閉棒１２１を別途製造してボタン胴体１００に組立てる等の製造時間を短縮することができることが特徴である。
【００２９】
一方、前記ボタン胴体１００には、前記内容物の移動通路１１０の外側で内容物の移動通路１１０を囲みつつ下方向に延長する延長部１３０が形成され、前記延長部１３０には、中空５１０が形成された固定体５００が結合されて後述するガイド部材３００を支持することで、ボタン胴体１００からガイド部材３００が離脱することを防止することができる。
【００３０】
前記ノズル２００は、前記排出部１２０に結合され、内容物を外部に排出し、ボタン胴体１００の上下移動に従って前後移動するように構成されるもので、前面部には、内容物が排出可能に排出孔２１０が形成され、側面部には、前後移動をガイドするガイド溝２２０が形成される。
【００３１】
前記ガイド溝２２０は、後述するガイド部材３００のガイド突起３４０が結合され、ノズル２００前後移動をガイドするように、側面両側で対応する一対の斜線状で構成されることが好ましい。
【００３２】
一方、前記ノズル２００は、前記排出部１２０に結合する時に、前記開閉棒１２１によって干渉が起きることを防止するように、下端部末端から一部が切開形成されたことが良い。
【００３３】
前記ガイド部材３００は、前記ボタン胴体１００の内側に結合され、前記ボタン胴体１００の上下移動に従って前記ノズル２００を前後移動させるもので、吸入部３１０、結合部３２０、バネ支持部３３０、ガイド突起３４０を含む。
【００３４】
前記吸入部３１０は、前記内容物の移動通路１１０に結合されるもので、本発明において、前記吸入部３１０は、図６に示すように、ボタン胴体１００が上方向に移動する時に、ボタン胴体１００が上方向に移動する距離ほどノズル２００に残留する内容物を吸入するピストン機能を提供することで、ノズル２００内に残留してノズル２００内で固着したり汚染する内容物を最小化させることができるようにする。
【００３５】
前記結合部３２０は、前記吸入部３１０の下方向に延長し、前記ポンピング部材３０の上部に結合されるもので、ガイド部材３００をポンピング部材３０に固定させ、ボタン胴体１００を加圧する時にその加圧力をポンピング部材３０に伝達する。
【００３６】
前記結合部３２０は、ポンピング部材３０を通じて排出される内容物の移動ができるように、内部が空いている円筒状でなることが好ましい。
【００３７】
前記バネ支持部３３０は、前記吸入部３１０を囲みつつ吸入部３１０から延長形成されるもので、後述する弾性体４００の下端が安着される安着部３３１を形成して弾性体４００の下端を支持するように構成される。
【００３８】
前記ガイド突起３４０は、前記吸入部３１０の中央部から上方向に突出して前記ガイド溝２２０に結合され、ボタン胴体１００の上下移動に従ってノズル２００を前後移動させるもので、前記吸入部３１０の中央部から上方向に突出する一対の突出片３４１と、前記一対の突出片３４１の末端で一対の突出片３４１を連結し、前記ガイド溝２２０に結合されるガイドバー３４２とで構成される。
【００３９】
一方、前記ガイド突起３４０の下端部には、前記結合部３２０を通じて移動する内容物が流入されるように内容物流入孔３４３が形成されることが好ましい。
【００４０】
前記弾性体４００は、前記ボタン胴体１００の内側に位置し、ユーザがボタン胴体１００を加圧すれば収縮し、ユーザの加圧が解除されれば弛緩して、上方向に弾性力を提供してボタン胴体１００が上方向に移動するようにするもので、一側は前記ガイド部材３００の安着部３３１に支持され、他側は前記ボタン胴体１００の内側に支持されるように構成される。
【００４１】
以下では、図５及び図６を参照して、本発明の好ましい実施例によるディスペンサーポンプボタンの作動状態を説明する。図５及び図６は、本発明の好ましい実施例によるディスペンサーポンプボタンの作動状態を示した状態図である。
【００４２】
図５及び図６を参照すると、本発明の好ましい実施例によるディスペンサーポンプボタンは、先ず、ユーザがボタン胴体１００を加圧すれば、ボタン胴体１００が下方向に移動し、この時、ガイド部材３００のガイド突起３４０によってノズル２００が前進しながらボタン胴体１００の外部に露出が行われ、開閉棒１２１によって閉鎖された排出孔２１０の開放が行われる。前記のように、ノズル２００が外部に露出した状態でボタン胴体１００をさらに加圧すれば、ポンピング部材３０に結合された結合部３２０がその加圧力をポンピング部材３０に伝達して、ポンピング部材のポンピング作用が発生し、これにより、容器本体１０に収容された内容物が上昇して、ノズル２００の排出孔２１０を通じて外部に排出されることができる。
【００４３】
一方、ユーザがボタン胴体１００の加圧を解除すれば、ボタン胴体１００の加圧によって収縮された弾性体４００が弛緩しながら上方向に弾性力を提供し、この時、ガイド部材３００のガイド突起３４０によってノズル２００が後進しながらボタン胴体１００の内部に挿入されて、ノズル２００がボタン胴体１００の内部に隠された状態に位置する。前記のように、ノズル２００がボタン胴体１００の内部に挿入されれば、開閉棒１２１によってノズル２００の排出孔２１０が閉鎖され、これにより、ボタン胴体１００の内部に空気が流入されることを遮断するので、内容物が変質することを防止することができる。
【００４４】
前記で説明したように、本発明は、通常はノズル２０がボタン胴体１００の内部に挿入されて隠された状態で存在し、使用する時にノズル２００が外部に露出して内容物の排出が行われるように構成することで、常時ノズルが外部に露出されてキャップを汚染することは勿論、内容物の変質を引き起こす従来のディスペンサー容器のボタン構造を改善することが可能になる。
【００４５】
一方、本発明では、開閉棒１２１が排出部１２０の下端壁面から上部に延長し、かつ前方に垂直折り曲げられると説明したが、排出部１２０の上端壁面から下部に延長し、かつ前方に垂直折り曲げられることも可能であり、このような場合、前記ノズル２００は、上端部末端から一部が切開形成されるように構成される。
【００４６】
図面と明細書で好適な実施例が開示された。ここで特定の用語が用いられたが、これは、単に本発明を説明するための目的で用いられたものであり、意味限定や特許請求の範囲に記載された本発明の範囲を制限するために用いられたものではない。それで、本技術分野の通常の知識を持った者であれば、これから多様な変形及び均等な他の実施例が可能であるという点が理解できるであろう。従って、本発明の真正な技術的保護範囲は、添付した特許請求の範囲の技術的思想によって定められるべきである。
【図１】
2014524870.tif 000003
【図２】
2014524870.tif 000004
【図３】
2014524870.tif 000005
【図４】
2014524870.tif 000006
【図５】
2014524870.tif 000007
【図６】
2014524870.tif 000008
【国際調査報告】
2014524870.tif 000009
2014524870.tif 000010
2014524870.tif 000011
2014524870.tif 000012